(57)【要約】【課題】複数の映像を同時に表示することを、簡易、且つ安価に行うことができる映像表示装置を実現することを目的とする。【解決手段】複数の映像を１つの画面に表示する映像表示装置１００であって、２つの映像信号を１つの映像信号に合成する映像合成手段１２０、１２１、１２２を有し、この映像合成手段１２０、１２１、１２２を複数、多段に組み合わせることで１つの画面に複数の映像を表示するように構成した映像表示装置１００である。【選択図】図１
2007171454.tif 000002
【特許請求の範囲】
【請求項１】
複数の映像を１つの画面に表示する映像表示装置であって、２つの映像信号を１つの映像信号に合成する映像合成手段を有し、この映像合成手段を複数、多段に組み合わせることで１つの画面に複数の映像を表示するように構成した映像表示装置。
【請求項２】
前記複数の映像合成手段のそれぞれに入力される映像信号を切り替える映像信号切り替え手段を、前記複数の映像合成手段の前段に設けた請求項１に記載の映像表示装置。
【発明の詳細な説明】
【技術分野】
【０００１】
本発明は、複数の映像を１つの画面に表示する映像表示装置に関するものであり、プラズマテレビ、液晶テレビなど、大画面の映像表示装置に有用なものである。
【背景技術】
【０００２】
大画面の映像表示装置として、例えば、プラズマディスプレイパネル（以下、ＰＤＰとも言う）や液晶パネルといった表示デバイスを用いたプラズマテレビや液晶テレビなどの映像表示装置がある。これらは、ＣＲＴに比べ、薄型、軽量であることから大画面の映像表示装置として適したものである。
【０００３】
特にプラズマテレビは、その構造、製造方法の簡易さ、および、液晶テレビに比べて高速の表示が可能であり、視野角が広いこと、大型化が容易であること、自発光型であるため表示品質が高いことなどの理由から、大画面の映像表示装置の中で最近特に注目を集めており、多くの人が集まる場所での映像表示装置としてや、家庭で大画面の映像を楽しむための映像表示装置として各種の用途に使用されている。なお、このプラズマテレビに用いられている表示デバイスとしてのＰＤＰには、大別して、駆動的にはＡＣ型とＤＣ型があり、放電形式では面放電型と対向放電型の２種類があるが、高精細化、大画面化および製造の簡便性から、現状では、３電極構造の面放電型のものが主流である。
【０００４】
ここで、上記映像表示装置は、大画面で且つ、高精細であることから、複数の映像を同時に表示することに適している。また、このような映像表示の態様は、一度に多くの情報を伝達する方法として、その需要も多い。
【０００５】
このような、複数の映像を表示する方法として、例えば４つの映像を合成する為のフレームバッファと、４画面を合成する回路システムとを備える４画面表示装置が提案されている（特許文献１参照）。
【０００６】
また、ピクチャー・イン・ピクチャー機能を有する２画面合成装置を４段カスケードに接続することによって、複数の映像を１つの画像の上に表示させる複数映像切替装置も提案されている（特許文献２参照）。
【特許文献１】特開平８−０３２８７４号公報
【特許文献２】特開平７−３２７１７９号公報
【発明の開示】
【発明が解決しようとする課題】
【０００７】
特許文献１に開示されている４画面表示装置では、回路規模が大きくなり安価に実現することが困難であるという課題を有する。
【０００８】
また、特許文献２に開示されている複数映像切替装置では、直列に何段にも組み合わせることによる映像の劣化や、映像をフレームバッファに蓄積する処理が何段にもまたぐことによって、音声に対して映像の処理が遅延してしまうなどの課題を有する。
【０００９】
本発明はこのような状況に鑑みてなされたものであり、複数の映像を同時に表示することを、簡易、且つ安価に行うことができる映像表示装置を実現することを目的とする。
【課題を解決するための手段】
【００１０】
この課題を解決するために本発明の映像表示装置は、複数の映像を１つの画面に表示する映像表示装置であって、２つの映像信号を１つの映像信号に合成する映像合成手段を有し、この映像合成手段を複数、多段に組み合わせることで１つの画面に複数の映像を表示するように構成したものである。
【発明の効果】
【００１１】
本発明によれば、複数の映像を同時に表示することを、簡易、且つ安価に行うことができる映像表示装置を実現することができる。
【発明を実施するための最良の形態】
【００１２】
すなわち、本発明の請求項１に記載の発明は、複数の映像を１つの画面に表示する映像表示装置であって、２つの映像信号を１つの映像信号に合成する映像合成手段を有し、この映像合成手段を複数、多段に組み合わせることで１つの画面に複数の映像を表示するように構成した映像表示装置である。
【００１３】
また、本発明の請求項２に記載の発明は、請求項１に記載の映像表示装置において、前記複数の映像合成手段のそれぞれに入力される映像信号を切り替える映像信号切り替え手段を、前記複数の映像合成手段の前段に設けたものである。
【００１４】
以下、本発明の一実施の形態による映像表示装置について、図１〜図４を用いて説明する。なお、本発明の実施の態様はこれに限定されるものではない。
【００１５】
図１は、本発明の一実施の形態による映像表示装置の概略構成を示すブロック図である。
【００１６】
図１から明らかなように、映像表示装置１００は、４つのアナログの入力信号をデジタル信号に変換する映像ＡＤ変換手段１１０と、２つの映像信号「入力Ａ」、「入力Ｂ」を合成する映像合成手段１２０と、２つの映像信号「入力Ｃ」、「入力Ｄ」を合成する映像合成手段１２１と、映像合成手段１２０、１２１と同様の回路を持ち、映像合成手段１２０、１２１からの出力信号を合成しひとつの映像として生成する映像合成手段１２２と、この映像合成手段１２２によって生成された映像信号を表示する、ＰＤＰや液晶パネルのようなディスプレイデバイス１３０と、映像ＡＤ変換手段１１０および映像合成手段１２０、１２１、１２２の制御を行うマイコン１４０とを備える。
【００１７】
ここで、近年、２画面表示の機能が搭載された映像表示装置が数多く見られ、これは、この機能を実現する、２つの映像信号を合成する映像合成手段が安価に市場に出回っていることに起因するものである。そこで、２以上の映像を１つに合成する方法として、この２画面の映像合成手段を複数組み合わせることにより行うという方法が有効である。上述した本発明の一実施の形態による映像表示装置１００は、そのような考えに基づくものである。
【００１８】
次に、４つの映像信号「入力Ａ」「入力Ｂ」「入力Ｃ」「入力Ｄ」を１つの画面に合成する手順について説明する。
【００１９】
具体的には、表示画素として水平画素１９２０、垂直画素１０８０のハイビジョン映像の４つの映像信号「入力Ａ」「入力Ｂ」「入力Ｃ」「入力Ｄ」を、水平画素１３６６画素、垂直画素７６８の解像度を有するディスプレイデバイス１３０上に、縦横に均等に４分割して表示させる場合である。
【００２０】
まず、映像ＡＤ変換手段１１０によって、アナログの映像信号をデジタルの映像信号に変換する。ここで、入力の映像信号がデジタルであれば、この映像ＡＤ変換手段１１０でのＡＤ変換は行われない。次に映像合成手段１２０によって、映像ＡＤ変換手段１１０を経由した映像信号「入力Ａ」、「入力Ｂ」が合成される。ここで、それぞれの映像信号「入力Ａ」、「入力Ｂ」は、水平６８３画素、垂直３８４画素に画素変換され、水平で並べる形で映像が合成され、水平画素１３６６画素、垂直画素３８４画素で出力される。「入力Ｃ」、「入力Ｄ」に対しても、映像合成手段１２１により、それぞれ、水平６８３画素、垂直３８４画素に画素変換され、水平に並べる形で映像が合成され、水平画素１３６６画素、垂直画素３８４画素で出力される。
【００２１】
次に、映像合成手段１２０、１２１で合成された映像信号を、映像合成手段１２２に入力し１つの映像信号に合成する。ここでは、それぞれ水平１３６６画素、垂直３８４画素の入力信号を垂直に並べる形で合成し、ディスプレイの出力画素である水平１３６６画素、垂直７６８で出力するようにする。
【００２２】
図２は、上述した本発明の一実施の形態による映像表示装置１００によって表示される映像のイメージを示す図である。
【００２３】
すなわち、図１に示した映像合成手段１２０によって合成された映像イメージ２１０と、映像合成手段１２１によって合成された映像イメージ２２０とを、映像合成手段１２２によって合成することで、映像イメージ２３０のような、４つの映像を１つの画面に合成した映像イメージを表示することが可能な映像表示装置１００が実現できる。
【００２４】
次に、本発明の他の実施の形態による映像表示装置について説明する。図３は本発明の他の実施の形態による映像表示装置の概略構成を示すブロック図である。
【００２５】
図３に示すように、映像表示装置３００は、４つのアナログの入力信号をデジタル信号に変換する映像ＡＤ変換手段３１０と、２つの映像信号「入力Ａ」、「入力Ｂ」を合成する映像合成手段３２０と、２つの映像信号「入力Ｃ」、「入力Ｄ」を合成する映像合成手段３２１と、映像合成手段３２０、３２１と同様の回路を持ち、映像合成手段３２０、３２１からの出力信号を合成しひとつの映像として生成する映像合成手段３２２と、この映像合成手段３２２によって生成された映像信号を表示する、ＰＤＰや液晶パネルのようなディスプレイデバイス３３０と、映像ＡＤ変換手段３１０および映像合成手段３２０、３２１、３２２の制御を行うマイコン３４０と、映像合成手段３２０、３２１に対して入力される入力信号「入力Ｂ」と「入力Ｃ」とを切り替える、映像信号切り替え手段３５０と、を備える。
【００２６】
次に、４つの映像信号「入力Ａ」「入力Ｂ」「入力Ｃ」「入力Ｄ」を１つの画面に合成する手順について説明する。
【００２７】
具体的には、表示画素として水平画素１９２０、垂直画素１０８０のハイビジョン映像の４つの映像信号「入力Ａ」「入力Ｂ」「入力Ｃ」「入力Ｄ」を、水平画素１３６６画素、垂直画素７６８の解像度を有するディスプレイデバイス３３０上に、縦横に均等に４分割して表示させる場合である。
【００２８】
まず、映像信号切り替え手段３５０によって、「入力Ｂ」は映像合成手段３２１に、「入力Ｃ」は映像合成手段３２０に入力されるようにする。次に映像ＡＤ変換手段３１０によって、アナログの入力信号をデジタルの映像信号に変換する。ここで、入力の映像信号がデジタルであれば、この映像ＡＤ変換手段３１０でのＡＤ変換は行われない。
【００２９】
次に映像合成手段３２０によって、映像ＡＤ変換手段３１０を経由した映像信号「入力Ａ」「入力Ｃ」が合成される。ここで、それぞれの入力信号を水平６８３画素、垂直３８４画素に画素変換し、水平で並べる形で映像を合成し、水平画素１３６６画素、垂直画素３８４画素で出力するようにする。
【００３０】
映像合成手段３２１も映像合成手段３２０と同様、映像ＡＤ変換手段３１０を経由した「入力Ｂ」「入力Ｄ」を合成する。出力画素も映像合成手段３２０と同様、それぞれの入力信号を水平６８３画素、垂直３８４画素に画素変換し、水平に並べる形で映像を合成し、水平画素１３６６画素、垂直画素３８４画素で出力するようにする。
【００３１】
次に、映像合成手段３２０、３２１で生成された映像信号を映像合成手段３２２に入力し、２つの映像信号を合成する。ここでは、それぞれ水平１３６６画素、垂直３８４画素の入力信号を垂直に並べる形で合成し、ディスプレイの出力画素である水平１３６６画素、垂直７６８で出力すればよい。
【００３２】
図４は、上述した映像表示装置３００によって表示される映像のイメージを示す図である。
【００３３】
すなわち、図３に示した映像合成手段３２０によって合成された映像イメージ４１０と、映像合成手段３２１によって合成された映像イメージ４２０とを、映像合成手段３２２によって合成することで映像イメージ４３０のような、図１で示した映像表示装置１００による映像イメージ２３０（図２）とは異なる映像イメージ４３０を表示することが可能な映像表示装置を実現することができる。つまり、図１で示した映像表示装置１００では不可能な、例えば「入力Ａ」と「入力Ｂ」、及び「入力Ｃ」と「入力Ｄ」がそれぞれ横方向に隣り合っていないというような映像イメージで映像を合成したい場合に、図３で示した構成は有効である。
【００３４】
なお、映像信号切り替え手段３５０は、映像合成手段３２０、３２１の前段であれば、映像ＡＤ変換手段３１０の後段に挿入されていても良い。その際は必要に応じて行われるＡＤ変換後、入力信号の切り替えが行われることになる。
【００３５】
また、「入力Ｂ」「入力Ｃ」の経路を入れ替えない場合は、図２と映像イメージを表示することができる。また映像合成手段３２０と映像合成手段３２１とで左右を逆に合成することや、映像合成手段３２２で上下逆に合成することなどにより、４つの入力信号を４分割のどの画面位置にも表示させることが可能となる。
【００３６】
また、以上では４入力の表示形式で説明をしたが、さらに多段に２画面合成手段を構成することによって、６画面、８画面といった画面を合成することが可能となる。
【００３７】
以上、本発明によれば、液晶パネル、プラズマディスプレイパネル等の表示デバイスを使用した映像表示装置において、既存の２画面合成手段を組み合わせることにより、複数の映像を１つの画面に表示する映像表示装置が実現できた。さらに、映像信号切り替え手段を組み合わせることによって、様々な映像合成パターンを実現することが可能となった。
【産業上の利用可能性】
【００３８】
以上のように本発明は、複数の映像を同時に表示することを、簡易、且つ安価に行うことができる映像表示装置を実現する上で有用な発明である。
【図面の簡単な説明】
【００３９】
【図１】本発明の一実施の形態による映像表示装置の概略構成を示すブロック図
【図２】本発明の一実施の形態による映像表示装置によって表示される映像のイメージを示す図
【図３】本発明の他の実施の形態による映像表示装置の概略構成を示すブロック図
【図４】本発明の他の実施の形態による映像表示装置によって表示される映像のイメージを示す図
【符号の説明】
【００４０】
１００、３００  映像表示装置
１１０、３１０  映像ＡＤ変換手段
１２０、１２１、１２２、３２０、３２１、３２２  映像合成手段
１３０、３３０  ディスプレイデバイス
１４０、３４０  マイコン
２１０、２２０、２３０、４１０、４２０、４３０  映像イメージ
【図１】
2007171454.tif 000003
【図２】
2007171454.tif 000004
【図３】
2007171454.tif 000005
【図４】
2007171454.tif 000006